【手続補正書】
【提出日】平成17年4月14日(2005.4.14)
【手続補正１】
【補正対象書類名】明細書
【補正対象項目名】特許請求の範囲
【補正方法】変更
【補正の内容】
【特許請求の範囲】
【請求項１】
カッター本体と切断歯とガードバーとを有するロール状に巻かれたシート材料を引き出して切断する際に用いられるカッターにおいて、
ガードバーが切断歯間に切断歯の面に対してほぼ直角にカッター本体に設けられたことを特徴とするカッター。
【請求項２】
請求項1に記載のカッターにおいて、ガードバーの形状がほぼ四角形形状またはほぼ台形形状のいずれかであることを特徴とする前記カッター。
【請求項３】
カッター本体と切断歯とガードバーとを有するロール状に巻かれたシート材料を引き出して切断する際に用いられるカッターにおいて、
ガードバーが切断歯の面に対してほぼ直角に切断歯自体に取り付けられていることを特徴とする上記カッター。
【請求項４】
請求項3に記載のカッターにおいて、切断歯の形状が三角形形状であってその一辺にガードバーが設けられていることを特徴とするカッター。
【請求項５】
カッター本体と切断歯とガードバーとを有するロール状に巻かれたシート材料を引き出して切断する際に用いられるカッターにおいて、
カッター本体の一端部に切断歯が設けられ、かつカッター本体が前記一端部に向かってＳ字状に折りたたまれて、第１の折りたたみ部と第２の折りたたみ部を形成し、第１の折りたたみ部が切断歯の下部あるいは切断歯の根元部と重合して、またはこれらのいずれかの対応する位置に離隔して設けられ、この第１の折りたたみ部がガードバーを形成していることを特徴とするカッター。
【請求項６】
カッターが一部品カッターであることを特徴とする請求項１ないし請求項５に記載のカッター。
【請求項７】
金属シートから製造されたものであることを特徴とする請求項１ないし請求項６に記載のカッター。
【請求項８】
金属シートの一端部に切断歯をカットしたのち、カッター本体を切断歯のある一端部に向かってＳ字状に折り曲げて製造することを特徴とする請求項５に記載のカッターの製造方法。
【請求項９】
カッター本体と切断歯とガードバーとを有するロール状に巻かれたシート材料を引き出して切断する際に用いられるカッターにおいて、
カッターがカッター本体と切断歯が設けられた切断部材とよりなり、カッター本体の一端部が切断部材の切断歯と一部重合するかあるいは根元部に沿って重合し、前記一端部がガードバーを構成していることを特徴とするカッター。
【請求項１０】
カッター本体と切断歯とガードバーとを有するロール状に巻かれたシート材料を引き出して切断する際に用いられるカッターにおいて、
カッター本体の一端部に切断歯が設けられており、切断歯の根元付近あるいは切断歯の一部を包含する部分が一端部方向にほぼ半筒状の形状になった構造となってガードバーを構成していることを特徴とするカッター。
【請求項１１】
カッターが一部品カッターであることを特徴とする請求項１０に記載のカッター。
【請求項１２】
金属シートから製造されたものであることを特徴とする請求項１０ないし１１に記載のカッター。
【請求項１３】
カッター本体と切断歯とガードバーとを有するロール状に巻かれたシート材料を引き出して切断する際に用いられるカッターにおいて、
カッター本体の一端部に切断歯が設けられており、かつ板状部材またはＬ字状部材のガードバーが切断歯の根元付近にそってあるいは切断歯に一部重合するように固着されていることを特徴とするカッター。
【手続補正２】
【補正対象書類名】明細書
【補正対象項目名】００１２
【補正方法】変更
【補正の内容】
【００１２】
（１）カッター本体と切断歯とガードバーとを有するロール状に巻かれたシート材料を引き出して切断する際に用いられるカッターにおいて、
ガードバーが切断歯間に切断歯の面に対してほぼ直角にカッター本体に設けられたことを特徴とするカッター。
（２）前記（１）記載のカッターにおいて、ガードバーの形状がほぼ四角形形状またはほぼ逆台形形状のいずれかであることを特徴とする前記カッター。
（３）カッター本体と切断歯とガードバーとを有するロール状に巻かれたシート材料を引き出して切断する際に用いられるカッターにおいて、
ガードバーが切断歯の面に対してほぼ直角に切断歯自体に取り付けられていることを特徴とする上記カッター。
（４）前記（３）記載のカッターにおいて、切断歯の形状が三角形形状であってその一辺にガードバーが設けられていることを特徴とするカッター。
（５）カッター本体と切断歯とガードバーとを有するロール状に巻かれたシート材料を引き出して切断する際に用いられるカッターにおいて、
カッター本体の一端部に切断歯が設けられ、かつカッター本体が前記一端部に向かってＳ字状に折りたたまれて、第１の折りたたみ部と第２の折りたたみ部を形成し、第１の折りたたみ部が切断歯の一部と重合してあるいは根元部に沿って、またはこれらのいずれかの対応する位置に離隔して設けられ、この第１の折りたたみ部がガードバーを形成していることを特徴とするカッター。
（６）カッターが一部品カッターであることを特徴とする（１）ないし（５）に記載のカッター。
（７）金属シートから製造されたものであることを特徴とする（１）ないし（６）に記載のカッター。
（８）金属シートの一端部に切断歯をカットしてからカッター本体から切断歯のある一端部に向かってカッター本体をＳ字状に折り曲げることを特徴とする（５）に記載のカッターの製造方法。
（９）カッター本体と切断歯とガードバーとを有するロール状に巻かれたシート材料を引き出して切断する際に用いられるカッターにおいて、
カッターがカッター本体と切断歯が設けられた切断部材とよりなり、カッター本体の一端部が切断部材の切断歯と一部重合するかあるいは根元部に沿って重合し、前記一端部がガードバーを構成していることを特徴とするカッター。
（１０）カッター本体と切断歯とガードバーとを有するロール状に巻かれたシート材料を引き出して切断する際に用いられるカッターにおいて、
カッター本体の一端部に切断歯が設けられており、切断歯の根元付近あるいは切断歯の一部を包含する部分が一端部方向にほぼ半筒状の形状になった構造となってガードバーを構成していることを特徴とするカッター。
（１１）カッターが一部品カッターであることを特徴とする（１０）に記載のカッター。
（１２）金属シートから製造されたものであることを特徴とする（１０）ないし（１１）に記載のカッター。
（１３）カッター本体と切断歯とガードバーとを有するロール状に巻かれたシート材料を引き出して切断する際に用いられるカッターにおいて、
カッター本体に一端部に切断歯が設けられており、かつ板状部材またはＬ字状部材のガードバーが切断歯の根元付近あるいは切断歯に一部重合するように固着されていることを特徴とするカッター。
【手続補正３】
【補正対象書類名】明細書
【補正対象項目名】００１３
【補正方法】変更
【補正の内容】
【００１３】
上述のように本願発明は、カッター本体と切断歯とガードバーとを有するロール状に巻かれたシート材料を引き出して切断する際に用いられるカッターにおいて、ガードバーを二つの切断歯の間の根元に設けるか、切断歯の一部に一体的に設けるか、連続する切断歯の根元部付近ないし切断歯と一部重合するようにカッター本体を折りたたんだ折りたたみ部として設けるか、あるいはカッター本体とは別体の端部に切断歯を有する切断部材を用いて同様にカッター本体の先端部分を切断部材の切断歯の根元付近あるいは切断歯と重合するようにして設けるか、あるいは切断歯付近のカッター本体部分を半円筒形形状に形成して設けるか、切断歯の根元付近あるいは切断歯の一部に重合するように長手方向に板状部材またはＬ字状部材のものを設けることにより目的を達成するものである。